(57)【要約】      （修正有）【課題】既存のベッドをそのまま採用できると共に、大量の排出用水を使用することなく、排泄物の確実な排出を可能としたトイレ装置、並びに腰部・臀部洗浄も容易に実施することのできるトイレ装置の提供。【解決手段】上部に身体を支持でき且つ所定位置に排泄行為可能な透孔部２１が形成されている上方部Ａと、前記透孔部下方に位置して、扁平容器形状で、最下部に排出口を有する便器、及び便器内を渦巻状に流れる方向へ放水する放水部６２、及び排出口下方に排出口６１１と連通し、且つ放流先にトラップ構造を備えた強制排出機構部７を有する下方部Ｂとを備え、上方部及び下方部を一体化してなると共に、一体化した上下方部を荷重に対応して高さが変化する支持部９ａを備えて使用時高さの調整を行う等の、所定位置にトイレ装置収納孔部を設けてなるマットレスと組み合わせて使用し、上方部上面が前記マットレスＥの上面の高さと一致する構造とした。【選択図】図１
2007075309.tif 000002
【特許請求の範囲】
【請求項１】
上部に身体を支持でき且つ所定位置に排泄行為可能な透孔部が形成されている上方部と、前記透孔部下方に位置して、扁平容器形状で最下部に排出口を有する便器、及び便器内を渦巻状に流れる方向へ放水する放水部、及び排出口下方に排出口と連通し、且つ放流先にトラップ構造を備えた強制排出機構部を有する下方部とを備え、上方部及び下方部を一体化してなると共に、所定位置にトイレ装置収納孔部を設けてなるマットレスと組み合わせて使用した場合に、上方部上面が前記マットレスの上面の高さと一致する構造としたことを特徴とする介護ベッド用トイレ装置。
【請求項２】
一体化した上下方部を荷重に対応して高さが変化する支持部を備えて、使用時高さの調整を行ってなる請求項１記載の介護ベッド用トイレ装置。
【請求項３】
支持部がコイルバネである請求項２記載の介護用トイレ装置。
【請求項４】
上方部上面の透孔部が、便座で囲繞した構成又は格子状体で構成してなる請求項１乃至３記載の介護ベッド用トイレ装置。
【請求項５】
便器部上縁に放水部の放水を便器上方開口部分から飛散を防止する水返し構造としてなる請求項１乃至４記載の何れかの介護ベッド用トイレ装置。
【請求項６】
便器内に、放水部からの放水を渦流とするガイド突条を設けてなる請求項１乃至５記載の何れかの介護ベッド用トイレ装置。
【請求項７】
強制排出機構部を、適宜な約一定幅とした流路とを備え、前記流路の一方端に所定の噴射圧によってノズル噴射する噴射給水部を設け、前記噴射流の流れ込み先に排出流路を設けてなる請求項１乃至６記載の何れかの介護ベッド用トイレ装置。
【請求項８】
強制排出機構部に、排出流路に向けて粉砕圧送する排出ポンプ機構を採用してなる請求項１乃至６記載の何れかの介護ベッド用トイレ装置。
【請求項９】
上方部を、便器の上方開口部と対応する孔部を備えた箱型の水盤と、透孔部の周囲を透水性クッション体で形成した上面部を備えてなる請求項１乃至８記載の何れかの介護ベッド用トイレ装置。
【請求項１０】
上方部又は下方部の何れかに所定の噴水をなす局部洗浄機構並びに温風吹出機構を付設してなる請求項１乃至９記載の何れかの介護ベッド用トイレ装置。
【請求項１１】
上方部に、シャワーを付設してなる請求項９又は１０記載の何れかの介護ベッド用トイレ装置。
【発明の詳細な説明】
【技術分野】
【０００１】
本発明は、既存のベッドや、畳の上に直接マットレスと共に組み込むことのできる介護ベッド用トイレ装置に関するものである。
【背景技術】
【０００２】
非介護者（寝たきりの病人）がベッドから離れることなく排泄が可能なように、トイレ装置を組み込んだベッドが知られている。この構造は基本的にベッド自体にトイレ装置が組み込まれているものである。
【０００３】
例えば実開昭６２−１９４３３６号公報（特許文献１）、特開平８−１５０１８０号（特許文献２）には、ベッド自体にトイレ装置を組み込んでおり、且つマットレスは腰部・臀部を支持している箇所が分割されている。そして使用に際しては、分割マットレスを外して排泄を行うようにしている。また前記特許文献２には、腰部全体の湯水による清浄を行うことができる構造が開示されている。
【０００４】
また実開平３−１１１３２６号公報（特許文献３）は、マットレスを兼ねた構成のベッドにトイレ装置を組み込み、ベッド下方に便槽を連結している構成が開示されている。
【０００５】
さらに実登３０５４１６０号公報（特許文献４）には、便器収納部を設けたマットレスが開示されている。
【０００６】
【特許文献１】実開昭６２−１９４３３６号公報。
【特許文献２】特開平８−１５０１８０号公報。
【特許文献３】実開平３−１１１３２６号公報。
【特許文献４】実用新案登録３０５４１６０号公報。
【発明の開示】
【発明が解決しようとする課題】
【０００７】
従前のトイレ装置付き介護用ベッドは、トイレ装置自体をベッドに組み込んでいるものであるから、トイレ装置付きの介護用ベッドを必要とすると、所定の構造が組み込まれたベッドを購入する必要がある。即ち既存のベッドを、直ちにトイレ装置付属の介護用ベッドとして使用することができない。
【０００８】
また前記特許文献４には、マットレス組み込み構成のトイレが開示されているが、所謂オマル構造であり、排泄物の処理が面倒で、就床状態の被介護者にとっても快適なものとはいえない。
【０００９】
更に前記の特許文献２には、トイレ装置がそのまま腰部の清浄化（湯水らによる洗浄）にも使用できるようにしているが、トイレ装置と同様にベッド組み込み構造である問題点を有すると共に、被介護者が不自然なスタイルで洗われることになる。
【００１０】
そこで本発明は、既存のベッドをそのまま採用できると共に、大量の排出用水を使用することなく、排泄物の確実な排出を可能としたトイレ装置、並びに腰部・臀部洗浄も容易に実施することのできるトイレ装置を提案したものである。
【課題を解決するための手段】
【００１１】
本発明に係る介護ベッド用トイレ装置は、上部に身体を支持でき且つ所定位置に排泄行為可能な透孔部（便座で囲繞した構成や格子状体で構成）が形成されている上方部と、前記透孔部下方に位置して、扁平容器形状（中央部分或いは中央よりずれた箇所を最下位置とし、当該最下位置に向って傾斜している皿碗形状や逆円錐形状を意味する）で、最下部に排出口を有する便器、及び便器内を渦巻状に流れる方向へ放水する放水部、及び排出口下方に排出口と連通し、且つ放流先にトラップ構造を備えた強制排出機構部を有する下方部とを備え、上方部及び下方部を一体化してなると共に、一体化した上下方部を荷重に対応して高さが変化する支持部を備えて使用時高さの調整を行う等の、所定位置にトイレ装置収納孔部を設けてなるマットレスと組み合わせて使用した場合に、上方部上面が前記マットレスの上面の高さと一致する構造としたことを特徴とするものである。
【００１２】
而して前記トイレ装置をマットレスと組み合わせることで、トイレ装置つき介護用ベッド（そのまま畳の上においても使用できる）とすることができ、而も仕入れ装置の上面位置（身体と当接する面）がマットレスの高さと一致するものであるから、トイレ装置を組み込んだまま被介護者は心地良く就床状態を維持でき、同時に被介護人は寝たままの状態で排泄行為が可能であり、排泄物は、透孔部から便器内に落下し、渦流放水で排出口まで洗い流され、排出口下部の強制排出機構部によって、ベッド外に排出される。
【００１３】
また本発明（請求項５）に係る介護ベッド用トイレ装置は、便器部上縁を水返し構造としているもので、これによって放水部からの放流が透孔部からの被介護者側へ飛散するのを防止している。
【００１４】
また本発明（請求項６）に係る介護ベッド用トイレ装置は、便器内に、放水部からの放水を渦流とするガイド突条を設けてなるもので、渦流放水が排泄物に衝突しても、分散して排出口に直接流下しないので、渦流による排泄物の洗い流しを確実に行なわれる。
【００１５】
更に本発明（請求項７）に係る介護ベッド用トイレ装置は、強制放流機構部を、適宜な約一定幅とした流路を備え、前記流路の一方端に所定の噴射圧によってノズル噴射する噴射給水部を設け、前記噴射流の流れ込み先に排出流路を設けてなるもので、水道水の水圧を強制排出のエネルギー源とすることができる。
【００１６】
また本発明（請求項８）に係る介護ベッド用トイレ装置は、前記の噴流ポンプによる強制放流機構部に変えて、排出流路に向けて粉砕圧送する排出ポンプ機構を採用してなるもので、使用水量を少なくでき、且つ高所排出も可能となるものである。
【００１７】
更に本発明（請求項９）に係る介護ベッド用トイレ装置は、上方部を、便器の上方開口部と対応する孔部を備えた箱型の水盤と、透孔部の周囲を透水性クッション体で形成した上面部を備えてなるもので、被介護者は、ベッドに寝たまま（クッションによる快適状態を維持したまま）で、付属シャワーその他で介護者が被介護者の身体（腰部・臀部）を洗ってあげることができる。洗浄に使用した水は水盤で受け、排出口から排泄物と同様にベッド外に強制排出することができる。
【発明の効果】
【００１８】
本発明（請求項１）は、上記の構成であるから、マットレスに組み込み、マットレスと一体になって使用されることになるので、既存ベッドをそのまま使用して、被介護者は快適な就床状態のまま排泄行為が可能となる強制排出機能・清浄機能を備えたトイレ装置付き介護用ベッドとすることができるものである。
【００１９】
また特に本発明（請求項５，６，７）は、放水部からの渦流で便器内の排泄物を排出口への運搬をおこなうもので、扁平な浅い便器であっても確実な運搬を実現すると共に、渦流によるベッド側への飛散も防止しているものである。
【発明を実施するための最良の形態】
【００２０】
次に本発明の実施の形態について説明する。実施形態に示したトイレ装置は、身体受けとなる上方部Ａと、便器構造の下方部Ｂと、上方部Ａ及び下方部Ｂの各配管（ホース）と接続して給水（給湯）を制御する開閉弁機構Ｃと、汚物タンクＤとで構成し、上下部Ａ，Ｂ両者を一体として、被介護者（ベッド使用者）の身体の一部（腰部・臀部）をしっかりと支持できる構造（全体を箱型としたり、支持脚を設ける）とし、且つその全高を、ベッド（或いは畳の上）にマットレスを敷いた際に、マットレスＥの厚さと一致するようにしたものである。
【００２１】
上方部Ａは、扁平箱型の水盤部１と、水盤部１内に収納され身体と直接接する上面部２と、上面部２の支持をなす補強部３と、温風吹出機構４と、シャワー５とで構成される。
【００２２】
水盤部１は、非透水性材質で扁平箱型に形成したもので、中央適宜位置に透孔１１を穿設し、底面においては、透孔１１に向かって傾斜させてなるものである。
【００２３】
上面部２は、所定の透孔部２１を囲繞する便座２２と、便座２２周囲の適宜範囲（被介護者の腰部・臀部をシャワーによる洗浄が実施できる範囲）を透水性クッション体２３で構成したものである。透水性クッション体２３は、表面をスポンジ材で被覆した格子体や、耐水性帯布を編んだものなど、身体を接触した際に不快感を覚えない材質で形成し、且つ透水機能を有するものであれば良い。
【００２４】
また便座２２に変えて、排泄物の通過通路となる透孔部を備えた格子体としても良い。格子体とした場合には、便座よりも小さい透孔部を設けた場合には、安静状態における透孔部の違和感がなくなる利点がある。
【００２５】
補強部３は、前記の上面部を透水性クッション体２３で形成することにより、身体支持の強度に問題が生じないように金属製格子体で形成したものである。
【００２６】
更に上方部Ａには、この水盤部１の一部に温風吹出機構４を付設し、透孔部２１や、透水性クッション体２３の間隙から上面部２上の身体に温風が吹き付けられるようにしているものである。
【００２７】
またシャワー５は、水盤部１の側方に収納部５１を形成し、収納部５１内に収納可能としてなり、収納した際に、マットレスＡの上面と一致し、且つ就寝時に不快を感じないようなクッション機能を備えた蓋体５２を設けてなる。
【００２８】
下方部Ｂは、便器部６と、強制排出機構部７とで構成される。便器部６は、前記水盤部１の透孔１１の下方に位置する便器６１と、便器６１に付設した放水部６２及び局所洗浄機構６３とを備えてなる。
【００２９】
便器６１は全体が扁平で、皿椀形状（図３参照）や逆円錐形状（図４参照）のように中央部分或いは中央よりずれた箇所を最下位置とし、当該最下位置に向って傾斜している形状としたもので、上縁部分は水返し構造とし、最下位置に排出口６１１を形成し、更に後述する放水部６２からの放水を渦流とするガイド突条６１２を設けてなる。
【００３０】
放水部６２は、便器６１内の排泄物を排出口６１１まで渦流で洗い流すように、排出口６１１を中心とした円周方向（ガイド突条６１２に添う方向）に放水するように設けたものであり、局所洗浄機構６３は、透孔１１を通って透孔部２１に向けて噴射するように設けたものである。
【００３１】
強制排出機構部７は、上方部分が前記排出口６１１と連通する適宜な約一定幅とした流路７１とを備え、前記流路７１の一方端に所定の噴射圧によってノズル噴射する噴射給水部７２を設け、前記噴射流の流れ込み先に排出流路７３を設けてなるもので、排出流路７３に適宜なトラップ構造を付設してなるものである。
【００３２】
尚強制排出機構部７は、前記の噴流ポンプ形式に変えて、排出口６１１の下方をポンプ室７４とし、ポンプ室７４内にモータ７５によって駆動される粉砕圧送ファン７６を設けた粉砕圧送ポンプ形式を採用しても良い。
【００３３】
開閉弁機構Ｃは、給水管８１及び給湯管８２からの給水・給湯を受け、シャワー５と接続した給湯ホース８３、放水部６２と接続した放水給水ホース８４、局所洗浄機構と接続した温水ホース８５、噴射給水部７２と接続した圧送給水ホース８６を接続し、各ホースへの給湯・給水を制御するものである。
【００３４】
汚物タンクＤは、排出流路７３に接続した排出ホース８７と接続し、内部に貯留センサや排出ポンプなどを内装したものである。勿論汚物タンクＤに替えて、単なる貯留タンクを採用しても良いし、排出ホース８７をそのまま大容量タンクや、下水に直結するようにしても良い。
【００３５】
また前記の上下方部Ａ，Ｂに、所定の荷重が加わった際に、マットレスＥ上に就寝した際のマットレスＥの沈みと同様に高さが変化することで、使用時に上面部２の上面位置が沈下マットレス同一高さとなるようにして、トイレ装置が就寝時に邪魔にならなく、快適な就寝状態が維持されるようにしたものである。
【００３６】
その具体的手段は、図３に例示したとおり、上下方部Ａ，Ｂ一体化した上下方部Ａ，Ｂの支持部９ａとしてコイルバネを使用して支持するようにしたり、図４に例示するように荷重によって撓曲する支持部９ｂを採用することなどが考えられる。勿論荷重を受けた際のマットレス同様に沈下する構造は、前記の構造に限定されるものではなく、固定支持部を備え、上面部自体に荷重対応のクッション性を備えさせるようにしても良い。
【００３７】
而して前記トイレ装置は、マットレスＥにおいて、被介護者が就床状態の時に被介護者の腰部・臀部に対応する位置にトイレ装置組み込み用の孔部ａを備えると共に、前記孔部ａとマットレス外を連通する各ホースの通過穴部ｂを形成したものと組み合わせて使用されるもので、前記孔部ａに上下部Ａ，Ｂを嵌合装着し、各ホースを通過穴部ｂからマットレスＥ外に取り出し、各々のホースを開閉弁機構Ｃや汚物タンクＤ等に接続して使用可能状態とするものである。
【００３８】
従ってトイレ装置はマットレスに組み込まれ、そのまま畳上に設置したり、既存のベッド上に設置して使用される。特にトイレ装置は、マットレスＥと同様のクッション性を備えているので、そのままマットレス機能も備えることになり、被介護者は直接トイレ装置上に快適に就寝することができる。勿論直接身体と当接する上面部の身体当接箇所も柔軟性を備え、快適に就寝できるものである。
【００３９】
被介護者の排泄時は、介護者が被介護者の寝巻きを腰部・臀部より脱がせ、臀部を露出状態で便座２２に位置させると排泄行為を行うことができ、排泄物は、透孔部２１から便器６１内に落下する。
【００４０】
排泄行為が終了すると、局所洗浄機構６３を動作させ、被介護者の局所を洗浄し、温風吹出機構４で乾燥を行う。
【００４１】
同時に放水部６２から放水して便器６１内の排泄物を排出口６１１まで洗い流すもので、特に前記放水が渦流方向に放水し、且つ渦巻きのガイド突条６１２によって、排泄物は一定の水量を備えた水流によって押し流されることになるので、排泄物は少ない水量で確実に排出口６１１に運ばれることになる。
【００４２】
この放水時に、渦巻き水流が排泄物と衝突して、多少飛散するようなことがあっても、便器６１の上方開口部分を水返し構造としているものであるから、透孔部２１からの被介護者側へ水滴の飛散が防止される。
【００４３】
排泄物が渦流放水と一緒に排出口６１１まで運ばれると、噴射給水部７２のノズル噴射によって排出流路７３へ吸引排出されることになり、排出ホース８７から汚物タンクＤに運ばれるものである。
【００４４】
また前記実施形態のトイレ装置は、被介護者がベッドに寝たままの状態で、付属のシャワー５を使用して被介護者の身体の一部（腰部・臀部）を洗って上げることができ、その排水も、強制排出機構部７によってマットレスＥ外に容易に排出することができるものである。
【００４５】
以上の通り本発明のトイレ装置はマットレスに組み込むことで、既存ベッドをそのままトイレ装置付きの介護用ベッドとすることができ、しかも所定のホースの配管接続によってトイレ装置を作動させることができるので、被介護者の就床場所を任意に定めることができるものである。
【図面の簡単な説明】
【００４６】
【図１】本発明の実施形態の分解斜視図。
【図２】同使用状態の説明図（斜視図）。
【図３】同使用状態の説明図（断面図）。
【図４】同使用状態の説明図（別例の断面図）。
【符号の説明】
【００４７】
Ａ        上方部
Ｂ        下方部
Ｃ        開閉弁機構
Ｄ        汚物タンク
Ｅ        マットレス
ａ        孔部
ｂ        通過穴部
１        水盤部
１１      透孔
２        上面部
２１      透孔部
２２      便座
２３      透水性クッション体
３        補強部
４        温風吹出機構
５        シャワー
５１      収納部
５２      蓋体
６        便器部
６１      便器
６１１    排出口
６１２    ガイド突条
６２      放水部
６３      局所洗浄機構
７        強制排出機構部
７１      流路
７２      噴射給水部
７３      排出流路
７４      ポンプ室
７５      モータ
７６      粉砕圧送ファン
８１      給水管
８２      給湯管
８３      給湯ホース
８４      放水給水ホース
８５      温水ホース
８６      圧送給水ホース
８７      排出ホース
９ａ，９ｂ    支持部
【図１】
2007075309.tif 000003
【図２】
2007075309.tif 000004
【図３】
2007075309.tif 000005
【図４】
2007075309.tif 000006